(57)【要約】【課題】溝のある追記型光ディスクにおいて、ＢＣＡからの再生信号に含まれる溝の信号成分の影響を少なくすることで、ＢＣＡ信号を正しく再生する。【解決手段】この発明の光ディスクドライブ装置は、記録媒体の記録面からの反射光のうちＢＣＡを再生した際に、ＢＣＡ信号に含まれるトラッククロス信号を除去することができる。例えば、ＢＣＡ信号からトラッククロス信号を除去するために、ＢＣＡ信号から検出された包絡線の直流成分をＡＣ結合部によりカットし、比較器により所定の閾値と比較することで、ＢＣＡ信号中のトラッククロス信号の有無が判断され、トラッククロス信号がある場合に、トラッキングをかけることで、トラッククロス信号の影響を少なくする。【選択図】  図４
2006209923.tif 000002
【特許請求の範囲】
【請求項１】
情報記憶媒体の内周側に少なくとも媒体固有の情報が記録された特定領域に溝が形成され、この特定領域に光を照射して前記情報を読み出す情報記録再生装置において、
前記光を出力する光源と、この光源からの前記光が前記情報記憶媒体に対物レンズを介して集光されその反射光を受光して電気信号に変換する光検出器とを備えた光ピックアップと、
前記光ピックアップにより変換された前記電気信号に基づいて前記特定領域からの再生信号を生成する信号処理回路とを有し、
前記信号処理回路は、前記特定領域からの再生信号から前記溝の成分を除去することを特徴とする情報記録再生装置。
【請求項２】
前記信号処理回路により、前記光ピックアップにトラッキングをかけて前記特定領域における溝の影響を除去することを特徴とする請求項１記載の情報記録再生装置。
【請求項３】
前記信号処理回路により、前記光ピックアップにより検出された検出信号から前記光ピックアップのトラッキングエラー成分を求めることを特徴とする請求項２記載の情報記録再生装置。
【請求項４】
前記信号処理回路により、前記特定領域から再生された再生信号の包絡線を検波し、前記包絡線の変動に従って前記特定領域からの前記再生信号を二値化する際のスライスレベルを変化させることを特徴とする請求項１記載の情報記録再生装置。
【請求項５】
前記信号処理回路による前記スライスレベルは、前記包絡線の振幅に応じて変化されることを特徴とする請求項４記載の情報記録再生装置。
【請求項６】
前記信号処理回路により、前記特定領域からの前期再生信号の所定の帯域成分のみを検出ことを特徴とする請求項１記載の情報記録再生装置。
【請求項７】
前記信号処理回路により検出される前記所定の帯域成分は、記録媒体の偏心の二倍を溝のピッチで除した値とピッチの最も短い前記特定領域からの再生信号におけるシーケンスの基本周波数を２で除した値とにより規定されることを特徴とする請求項６記載の情報記録再生装置。
【請求項８】
情報記憶媒体の内周側に少なくとも媒体固有の情報が記録された特定領域に溝が形成され、この特定領域に光を照射して前記情報を読み出す情報記録再生装置において、
前記特定領域の溝のピッチは、システムリードイン領域のトラックピッチの０．５倍〜０．９５倍、または１．０５倍〜２倍であり、
前記光を出力する光源と、この光源からの前記光が前記情報記憶媒体に対物レンズを介して集光されその反射光を受光して電気信号に変換する光検出器とを備えた光ピックアップと、
前記光ピックアップにより変換された前記電気信号に基づいて前記特定領域からの再生信号を生成する信号処理回路とを有し、
前記信号処理回路は、前記特定領域からの再生信号から前記溝の成分を除去することを特徴とする情報記録再生装置。
【請求項９】
光源からの光を記録媒体の記録層に集光するとともに、記録層で反射された光を取り込む対物レンズにより取り込まれた記録層で反射された光の強度に対応する信号を出力する光検出器を有する光ピックアップにより、記録媒体から検出された信号から、記録媒体の内周側に位置された特定領域に予め形成されている情報およびその近傍の溝からの再生信号を取り出す際に、
前記特定領域からの再生信号から前記特定領域における溝の影響を除去して、前記特定領域からの信号を再生する特定領域の情報を読み取る信号読取方法。
【発明の詳細な説明】
【技術分野】
【０００１】
この発明は、レーザ光を用いて情報の記録、消去または再生が可能な光ディスクに情報を記録し、または情報を消去し、もしくは情報を再生する光ディスク記録再生装置（情報記録再生装置）および信号読取方法に関する。
【背景技術】
【０００２】
情報の記録、再生ならびに消去（繰り返し記録）に適した記録媒体として、光ディスクが既に広く利用されている。反面、さまざまな規格の光ディスクが提案され、それぞれが実用化されている。なお、さまざまな規格の光ディスクは、記録容量で区別すると、ＣＤ規格やＤＶＤ規格に分類される。また、用途（データ記録形式）から見た場合、既に情報が記録されている（ＲＯＭと呼称される）再生専用タイプ、１回限りの情報記録が可能な（−Ｒと呼称される）ライトワンスタイプ（追記型）、あるいは記録と消去が繰り返し可能な（ＲＡＭまたはＲＷと呼称される）リライタブルタイプ（録再型または書換可能型）等に区分される。
【０００３】
光ディスクの規格および用途の多様化に伴って、光ディスク本体に、ＢＣＡ（Burst Cutting Area）と呼ばれ、ディスクドライブがそれぞれのディスクを識別するための情報や、それぞれのディスクに固有のコピープロテクション情報が記録されている領域が設けられている。
【０００４】
なお、記録型（すなわち追記型あるいは書換可能型）の光ディスクに、安定に、ＢＣＡを記録する方法及びＢＣＡパターンを形成した光ディスクが既に提案されている（例えば、特許文献１）。
【特許文献１】特開２００１−２４３６３６号公報
【発明の開示】
【発明が解決しようとする課題】
【０００５】
しかしながら、特許文献１の記載によれば、ＢＣＡが記録されている光ディスクから、ＢＣＡ信号を再生する際に、レベルスライサを用いて二値化している。
【０００６】
しかし、溝（案内溝すなわちトラック）のある記録型光ディスクにおいて、ＢＣＡ信号を再生する際、再生される）ため溝によるトラッキングクロス信号がＢＣＡ信号乗ってしまう（ＢＣＡ信号と同時に、ＢＣＡ信号が正しく再生されない、という問題がある。
【０００７】
この発明の目的は、溝のある光ディスクにおいて、ＢＣＡ信号を正しく再生することが可能な光ディスク情報記録再生装置を提供することである。
【課題を解決するための手段】
【０００８】
この発明は、上記問題点に基づきなされたもので、情報記憶媒体の内周側に少なくとも媒体固有の情報が記録された特定領域に溝が形成され、この特定領域に光を照射して前記情報を読み出す情報記録再生装置において、前記光を出力する光源と、この光源からの前記光が前記情報記憶媒体に対物レンズを介して集光されその反射光を受光して電気信号に変換する光検出器とを備えた光ピックアップと、前記光ピックアップにより変換された前記電気信号に基づいて前記特定領域からの再生信号を生成する信号処理回路とを有し、前記信号処理回路は、前記特定領域からの再生信号から前記溝の成分を除去することを特徴とする情報記録再生装置、を提供するものである。
【０００９】
このような構成によれば、溝のある追記型光ディスクにおいて、特定領域例えばＢＣＡの情報を再生した再生信号に含まれる溝の信号成分の影響を少なくすることで、特定領域からの再生信号を正しく得ることが可能となる。
【発明の効果】
【００１０】
以上説明したように本発明の情報記録再生装置および信号再生方法においては、溝のある追記型光ディスクにおいて、特定領域例えばＢＣＡの情報を再生した再生信号に含まれる溝の信号成分の影響を少なくすることで、特定領域からの再生信号を正しく得ることが可能となる。
【００１１】
これにより、記録媒体に固有の特性（情報）に応じた正確な情報の記録および既に記録されている情報の誤消去等のない安定な情報の再生が可能となる。
【発明を実施するための最良の形態】
【００１２】
以下、図面を参照して、この発明の実施の形態について詳細に説明する。
【００１３】
図１は、本発明の実施の形態が適用可能なＢＣＡ（特定領域）に溝のある追記型（ライトワンスタイプ）の光ディスクの一例を示す。
【００１４】
図１（ａ）に示すように、光ディスク１は、図２を用いて後段に一例を示す光ディスクドライブ装置（記録再生装置）による光ディスクの種別の識別に利用される情報と、さまざまの種類の光ディスクに固有のコピープロテクション情報が記録されている（ディスクの内周よりの領域の）ＢＣＡ（Burst Cutting Area）１１および溝１２と、ＢＣＡ１１および溝１２の外側に位置されているシステムリードイン領域１３と、システムリードイン領域１３のさらに外側に規定されているデータ領域１４と、を有する。なお、光ディスク１は、直径が約１２０ｍｍで、厚さが約１．２ｍｍの有機色素材料を記録層に用いた追記型の光ディスクであるとする。しかし、これらの実施形態については、これに限られるわけではない。
【００１５】
システムリードイン領域１３のトラックピッチは、例えば０．６８μｍで、データ領域１４のトラックピッチは、例えば０．４０μｍである。なお、光ディスク１のデータ領域１４への情報の記録および情報の再生に領される光ビーム（レーザ光）の波長は、例えば４０５ｎｍである。
【００１６】
ＢＣＡ１１のＢＣＡ信号１５は、詳細には、図１（ｂ）に拡大して示すが、同心円状に形成された溝１２を横切るように記録されている。
【００１７】
図２は、図１に示した光ディスクに情報を記録し、あるいは光ディスクから情報を再生する光ディスクドライブ装置（情報記録再生装置）の装置の一例を示す。
【００１８】
光ディスクドライブ装置１０は、光ディスク１の記録面に所定波長の光ビーム（レーザ光）を照射し、あるいは光ディスク１の記録面から反射された反射レーザ光を受光して、その光の強度に対応する電気信号として出力する光ピックアップヘッド（ＰＵＨ）２１を含む。
【００１９】
ＰＵＨ２１は、所定の位置に設けられた図示しない対物レンズを、光ディスク１の記録面（情報記録層）と直交する方向、および光ディスク１の情報記録層と平行で、情報記録層に予め形成されている溝（案内溝すなわちトラック）１２，１３と交差する方向に移動可能に支持するアクチュエータ（ＡＣＴ）２２、例えば半導体レーザ素子である光源（ＬＤ）２３、ＬＤ（光源）２３から出力されたレーザ光が光ディスク１の情報記録層で反射された反射レーザ光を受光して、その光の強度に対応する大きさの電気信号を出力する光検出器（ＰＤ）２４等を有する。
【００２０】
すなわち、ピックアップヘッド（ＰＵＨ）２１から出射されるレーザ光を、光ディスク１の情報記録層に集光することで、光ディスク１への情報の記録と光ディスク１からの情報の再生が可能である。
【００２１】
光ディスク１からの反射光（反射レーザ光）は、ＰＵＨ２１のホトダイオード（ＰＤ）２４で検出され、その光の強度に対応する大きさの電気信号に変換されて、信号処理回路１１３に入力される。
【００２２】
信号処理回路１１３の出力は、例えばサーボ回路１１２により、アクチュエータ（ＡＣＴ）２２の位置の制御に用いられるサーボ信号を得るために利用される。また、信号処理回路１１３の出力は、例えばコントローラ１１１により、ＬＤ２２から出力されるレーザ光の強度の制御に利用される。
【００２３】
光ディスク１は、図示しないディスクモータに支持され、ディスクモータが所定の回転数で回転されることにより、所定の速度で回転される。
【００２４】
ＰＵＨ２１は、図示しないピックアップ送り用モータにより情報の記録または再生もしくは消去の各動作時のそれぞれにおいて、光ディスク１の径方向に、所定の速度で移動される。
【００２５】
なお、本発明の光ピックアップ（ＰＵＨ）２１が少なくともトラッキング（情報記録層に予め形成されている溝（案内溝すなわちトラック）１２，１３と交差する方向の位置）の制御のための反射光ビームが読み込み可能な光ディスク１としては、例えば新規格で現行のＤＶＤ規格の光ディスクに比較してさらに高密度記録が可能な（次世代）ＤＶＤ（以下「ＨＤ  ＤＶＤ」と呼称する）規格の光ディスクが利用可能である。また、現行のＤＶＤ規格で情報の記録と消去が可能なＤＶＤ−ＲＡＭディスクおよびＤＶＤ−ＲＷディスクや、新たな情報の書き込みのみが可能なＤＶＤ−Ｒディスク、もしくは既に情報が記録されているＤＶＤ−ＲＯＭディスク等の、周知のさまざまな種類のディスクのそれぞれも利用可能であることはいうまでもない。
【００２６】
図３に、本発明の光ディスクのＢＣＡ信号の再生波形の概略図を示す。
【００２７】
図３（ａ）に示すように、ＢＣＡ１１（図１参照）に、溝（１２）がないディスクにおいては、再生信号の波形は、概ね均一である。
【００２８】
しかしながら、図３（ｂ）に示すように、ＢＣＡ１１に溝１２が形成されている光ディスク１では、ＢＣＡ信号に、トラッククロス信号が乗ってしまう（ＢＣＡ信号と同時にトラッククロス信号も再生される）ため、ＢＣＡ信号が正しく再生されない。
【００２９】
そこで、本発明では、ＢＣＡ１３からＢＣＡ信号を再生する際に、ＰＵＨ２１に、トラッキングをかけ、トラッククロスが起こらないようにすることで、ＢＣＡ信号を正しく再生することを特徴とする。
【００３０】
図４に、本発明のＢＣＡ信号の再生のためのフローチャートを示す。
【００３１】
光ディスク１に記録されている情報の再生が指示されると、ＢＣＡ信号の再生のためにあらかじめ定められた回転数で、光ディスク１が回転される（Ｓ６１）。
【００３２】
次に、ＰＵＨ２１があらかじめ定められた、ＢＣＡが記録されている光ディスクの半径位置にフィードされる（Ｓ６２）。
【００３３】
続いて、レーザ（ＬＤ）２３（図２参照）から、予め決められた（固有の）再生パワーのレーザ光が出力され、ＢＣＡ１１（図１参照）に照射される（Ｓ６３）。
【００３４】
次に、ＡＣＴ２２の図示しない対物レンズのフォーカスが制御され、ＢＣＡに再生パワーのレーザ光がオンフォーカス状態で照射される（Ｓ６４）。
【００３５】
続いて、ＢＣＡ１１からの再生信号から信号包絡線が検波される（Ｓ６５）。すなわち、包絡線は、図５に示すように、整流回路７１によりＢＣＡ信号を整流したのち、ＬＰＦ（ローパスフィルタ）７２を通過させることで、検出される。なお、整流回路７１およびＬＰＦ７２は、図２に示したコントローラ１１のファームウエアであってもよい。
【００３６】
以下、検出された包絡線から、光ディスク１のＢＣＡにおける溝（図１参照）１２の有無が判断される（Ｓ６６）。すなわち、光ディスク１のＢＣＡにおける溝１２の有無は、図６に示すように、ＡＣ結合部８１により包絡線の直流成分をカットし、比較器８２により所定の閾値と比較することで、判断される。なお、ＡＣ結合部８１および比較器８２は、図２に示したコントローラ１１のファームウエアであってもよい。
【００３７】
ステップＳ６６において、ＢＣＡに溝１２があることが判断された場合は、ＰＵＨ２１（の図示しない対物レンズ）にトラッキングをかける（Ｓ６７）。
【００３８】
ステップＳ６７において、ＰＵＨ２１にトラッキングをかけることで、ＢＣＡ信号からトラッククロス信号が除去可能となることから所定のスライスレベルにより、ＢＣＡからの再生信号を二値化することで、正しいＢＣＡ信号を得ることができる（Ｓ６８）。
【００３９】
なお、ステップＳ６６においてＢＣＡに溝１２がないが判断された場合、ステップＳ６８により、ＢＣＡ信号が再生されることはいうまでもない。
【００４０】
図７に、ＢＣＡ信号からトラッククロス信号を除去する方法の一例を示す。
【００４１】
例えば、ＢＣＡ信号にトラッククロス信号が乗っている（ＢＣＡ信号と同時にトラッククロス信号も再生されている）場合に、ＢＣＡ信号のスライスレベルを、トラッククロス信号により変調することで、ＢＣＡ信号を正しく取り出すことができる。
【００４２】
光ディスク１に記録されている情報の再生が指示されると、ＢＣＡ信号の再生のためにあらかじめ定められた回転数で、光ディスク１が回転される（Ｓ９１）。
【００４３】
次に、ＰＵＨ２１があらかじめ定められた、ＢＣＡが記録されている光ディスクの半径位置にフィードされる（Ｓ９２）。
【００４４】
続いて、レーザ（ＬＤ）２３（図２参照）から、予め決められた（固有の）再生パワーのレーザ光が出力され、ＢＣＡ１１（図１参照）に照射される（Ｓ９３）。
【００４５】
次に、ＡＣＴ２２の図示しない対物レンズのフォーカスが制御され、ＢＣＡに再生パワーのレーザ光がオンフォーカス状態で照射される（Ｓ９４）。
【００４６】
続いて、ＢＣＡ１１からの再生信号から信号包絡線が検波される（Ｓ９５）。すなわち、包絡線は、図５に示すように、整流回路７１によりＢＣＡ信号を整流したのち、ＬＰＦ７２を通過させることで、検出される。
【００４７】
以下、検出された包絡線が、図示しないスライス回路により、図１０に示すように、包絡線の半分程度の振幅をスライスレベルとしてスライスされる（Ｓ９６）。
【００４８】
続いて，ステップＳ９６でスライスされたスライスレベルにより、ＢＣＡにおける信号が二値化される（Ｓ９７）。なお、スライスレベルを図１０に示すように、包絡線の半分程度の振幅と設定したことにより、スライスレベルがトラッククロス信号に従って変動するので、二値化する際にトラッククロスの影響を無くすことができる。
【００４９】
また、溝が無い場合には、スライスレベルが一定となり、溝のある無しにかかわらず、ＢＣＡ信号を正しく再生することができる。
【００５０】
図９に、ＢＣＡ信号からトラッククロス信号を除去する方法の別の一例を示す。
【００５１】
例えば、ＢＣＡ信号にトラッククロス信号が乗っている（ＢＣＡ信号と同時にトラッククロス信号も再生されている）場合に、ＢＣＡ信号を、バンドパスフィルタを通過させることで、ＢＣＡ信号のみを取り出すことができる。なお、以下に説明する個々のステップのうち、ステップＳ１０１〜Ｓ１０４は、図４に示したステップＳ６１〜Ｓ６４あるいは図９に示したステップＳ９１〜Ｓ９４と実質的に同一であるから、詳細説明を省略する。
【００５２】
ステップＳ１０４において、図示しない対物レンズのフォーカスが制御され、ＢＣＡに再生パワーのレーザ光がオンフォーカス状態で照射されることで、ＢＣＡからの再生信号が得られる。
【００５３】
ここで、ＢＣＡからの再生信号に、図８に示したような特性のバンドパスフィルタをかける（ＢＣＡ再生信号をバンドパスフィルタに通す）。なお、バンドパスフィルタの周波数特性は、低周波側のカットオフ周波数がディスクの偏心の二倍をトラックピッチで除した値を下限とし、上限を５０ＫＨｚ程度とする。また、高周波側のカットオフ周波数は、５５０ｋＨｚ（ピッチの最も短いＢＣＡ信号におけるシーケンスの基本周波数を２で除したもの）とする（Ｓ１０５）。
【００５４】
以下、バンドパスフィルタを通過されたＢＣＡ信号を、所定のスライスレベルで二値化することで、正しいＢＣＡ信号を得ることができる（Ｓ１０６）。なお、ＢＣＡ信号は、あらかじめ決められた周波数成分を含むことから、バンドパスフィルタにより、トラッククロス信号のみがカットされることは言うまでもない。
【００５５】
従って、ＢＣＡ信号にバンドパスフィルタをかけても影響が無いために、溝のある無しに関わらず、正しくＢＣＡ信号を再生することができる。
【００５６】
なお、図１１（ａ）および（ｂ）に示すように、ＢＣＡの溝のトラックピッチが、システムリードイン領域の溝のピッチより狭い場合、溝による「±１次回折光」と「０次光」のそれぞれによる光スポットの距離が離れていくことになる。
【００５７】
この場合、「０次光」と「±１次回折光」の重なる領域の面積が減るため、干渉による影響が減る。そのため、トラッククロス信号が小さくなり、ＢＣＡ信号を正しく再生できる。
【００５８】
反面、ＢＣＡにおける溝のトラックピッチがシステムリードイン領域より広い場合には、トラッククロス信号の周波数帯域が低くなるために、バンドパスフィルタを用いてトラッククロス信号の影響を小さくする際に有利となる。
【００５９】
従って、ＢＣＡにおける溝のピッチは、システムリードイン領域のトラックピッチと異なることが好ましい。
【００６０】
例えばこれらの溝のピッチは、システムリードイン領域のトラックピッチの０．５倍〜０．９５倍、もしくは１．０５倍〜２倍であることが望ましい。
【００６１】
なお、以上説明した、ＢＣＡからＢＣＡ信号を再生する際に、トラッキングをかける、スライスレベルを変化させる、バンドパスフィルタをかける、というトラッククロスの影響を小さくする、それぞれの方法は、それぞれを単独で実施しても、あるいは任意の２つを組み合わせても、総てを同時に実施してもかまわないことは言うまでもない。
【００６２】
以上説明したように、本発明によれば、溝（案内溝すなわちトラック）のある記録型光ディスクにおいて、ＢＣＡ信号を再生する際、溝によるトラッキングクロス信号がＢＣＡ信号乗ってしまう（ＢＣＡ信号と同時に再生される）が、そのＢＣＡ信号からトラック（溝）の信号成分を除去することが容易であるから、ＢＣＡからの再生信号に含まれる溝の信号成分の影響を受けることなく、ＢＣＡ信号を正しく再生することが可能となる。
【００６３】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００６４】
【図１】この発明の実施の形態が適用可能なＢＣＡに溝のある光ディスクの一例を示す概略図。
【図２】図１に示した光ディスクから情報を再生する光ディスクドライブ装置（情報記録再生装置）の一例を示す概略図。
【図３】図２に示した光ディスクドライブ装置により、図１に示した光ディスクから再生した信号と溝の関係を説明する概略図。
【図４】図２に示した光ディスクドライブ装置により、ＢＣＡ信号からトラッククロス信号の影響を少なくする方法の一例を示すフローチャート。
【図５】図２に示した光ディスクドライブ装置により、ＢＣＡ信号から包絡線を検波する構成の一例を説明する概略図。
【図６】図２に示した光ディスクドライブ装置により、ＢＣＡ信号から包絡線を検波した信号から溝の有無を判断する構成の一例を説明する概略図。
【図７】図２に示した光ディスクドライブ装置により、ＢＣＡ信号からトラッククロス信号の影響を少なくする方法の別の例を示すフローチャート。
【図８】図２に示した光ディスクドライブ装置に用いられるバンドパスフィルタの一例を説明する概略図。
【図９】図２に示した光ディスクドライブ装置により、ＢＣＡ信号からトラッククロス信号の影響を少なくする方法のさらに別の例を示すフローチャート。
【図１０】図２に示した光ディスクドライブ装置に用いられるスライス回路の一例を説明する概略図。
【図１１】図１に示した光ディスクにおけるＢＣＡの溝のトラックピッチとＢＣＡ信号との関係を説明する概略図。
【符号の説明】
【００６５】
１…光ディスク（記録媒体）、１１…（光ディスクの）ＢＣＡ、１２…（光ディスクの）溝（ＢＣＡ）、１３…（光ディスクの）システムリードイン領域、１４…（光ディスクの）データ領域、１５…（光ディスクの）ＢＣＡ情報、２１…光ピックアップ（ＰＵＨ）、２２…（ＰＵＨの）アクチュエータ、２３…レーザダイオード（光源）、２４…フォトディテクタ（光検出器）、７１…整流回路、７２…ＬＰＦ（ローパスフィルタ）、８１…ＡＣ結合器、８２…比較器、１０１…光ディスクドライブ装置（情報記録再生装置、１１１…コントローラ、１１２…サーボ回路、１１３…信号処理回路。
【図１】
2006209923.tif 000003
【図２】
2006209923.tif 000004
【図３】
2006209923.tif 000005
【図４】
2006209923.tif 000006
【図５】
2006209923.tif 000007
【図６】
2006209923.tif 000008
【図７】
2006209923.tif 000009
【図８】
2006209923.tif 000010
【図９】
2006209923.tif 000011
【図１０】
2006209923.tif 000012
【図１１】
2006209923.tif 000013
【手続補正書】
【提出日】平成18年2月1日(2006.2.1)
【手続補正１】
【補正対象書類名】特許請求の範囲
【補正対象項目名】請求項７
【補正方法】変更
【補正の内容】
【請求項７】
前記信号処理回路により検出される前記所定の帯域成分は、記録媒体の偏心の二倍を溝のピッチで除した値と最も短い前記特定領域からの再生信号におけるシーケンスの基本周波数を２で除した値とにより規定されることを特徴とする請求項６記載の情報記録再生装置。
【手続補正２】
【補正対象書類名】明細書
【補正対象項目名】００５３
【補正方法】変更
【補正の内容】
【００５３】
ここで、ＢＣＡからの再生信号に、図８に示したような特性のバンドパスフィルタをかける（ＢＣＡ再生信号をバンドパスフィルタに通す）。なお、バンドパスフィルタの周波数特性は、低周波側のカットオフ周波数がディスクの偏心の二倍をトラックピッチで除した値を下限とし、上限を５０ＫＨｚ程度とする。また、高周波側のカットオフ周波数は、５５０ｋＨｚ（最も短いＢＣＡ信号におけるシーケンスの基本周波数を２で除したもの）とする（Ｓ１０５）。